(57)【特許請求の範囲】
【請求項１】
左右側板の上端部間に天井材への留めフランジを設けた保持部材の内部に設けた連結体の左右連結板に通孔を設け、この通孔は連結体内部に設けた介装板と外部に設けた溝列部との間を連通して外側部から螺子を螺装し、前記保持部材の一側板部に連結部材を螺子の頭部を前記溝列部に配置し溝列部の外端部に雌螺子を設け、このように成る連結部材に対して水平に架設する受け部材を連結し、天井材下面部に設置する受け部材を前記保持部材間に架設して成ることを特徴とする吊り天井装置。
【発明の詳細な説明】
【技術分野】
【０００１】
本発明は、耐震性を目的とする吊り天井装置に関するものである。
【背景技術】
【０００２】
建築物において施工する吊り天井の構造については様々なものがあることは、次に例示する発明からも明らかであるところ、特に耐震性が要求される吊り天井の構造にあっては、天井材下面に保持部材を設置して、天井仕上げ材の落下を防止するサポート構法が有効とされている。サポート構法では天井仕上げ材を金属系スパンドレルとするが、金属系スパンドレルは割れや欠けが起きにくく、野縁と接続されることで面としての一体性が確保できる材料であることから、保持部材のピッチを広げることができるし、またスパンドレル以外の金属系天井やボード系天井に対しては、天井仕上げ面からの落下防止措置を講じる場合としては、ネット等を使用することがある。
【先行技術文献】
【特許文献】
【０００３】
【特許文献１】特開２００９−９７１５０号公報
【特許文献２】特開２０１３−５７２１６号公報
【特許文献３】特開２０１３−１００７０４号公報
【特許文献４】特開２０１４−７４２７２号公報
【特許文献５】特開平１０−３１７５７３号公報
【特許文献６】特開平１１−３２４１２５号公報
【特許文献７】特開２０１１−２１４２４号公報
【特許文献８】特開２０１３−９６１００号公報
【０００４】
従来、天井材は、天井仕上げ材及び天井仕上げ材を接続する下地で、野縁，野縁受け及びクリップ，ハンガー，吊りボルト等の付属金属材であり、吊り元は、吊りボルトと床，屋根，鉄骨下地など構造的に剛とみなせる部位との接続部であり、保持部材は天井材の落下を防止するために天井材下面に設置する部材である。
【発明の概要】
【発明が解決しようとする課題】
【０００５】
そこで、本発明は、特に天井材の落下を防止するために、天井材下面に設置する保持部材の改良を図り、大規模地震によって天井材が大きく振動しても、その振動を吸収して天井が歪んだり天井材の落下を防止することができる安全な吊り天井装置を提供することを目的とするものである。
【課題を解決するための手段】
【０００６】
本発明は、左右側板の上端部間に天井材への留めフランジを設けた保持部材の内部に設けた連結体の左右連結板に通孔を設け、この通孔は連結体内部に設けた介装板と外部に設けた溝列部との間を連通して外側部から螺子を螺装し、前記保持部材の一側板部に連結部材を螺子の頭部を前記溝列部に配置し溝列部の外端部に雌螺子を設け、このように成る連結部材に対して水平に架設する受け部材を連結し、天井材下面部に設置する受取り部材を前記保持部材間に架設して成る吊り天井装置である。
【発明の効果】
【０００７】
第１に、吊り天井のための保持部材にはフランジを一体に設けているから、形金具が不要となり、材料費や工程数を削減することができる。
【０００８】
第２に、保持部材の連結体は保持部材の中空部分に挿入した後に外部から螺子で締結することができる簡単な構造になっている。
【０００９】
第３に、受け部材は保持部材の溝列部に螺子を当接して左右の移動が可能となるから、天井部に設置してある照明器具に干渉しない任意位置において、保持部材に連結する受け部材を固定することができるようになる。
【００１０】
第４に、留め金具は保持部材の中空部分に内蔵して外部から螺子で締結することができるし、長螺子の螺孔加工は上下方向から容易に行うことができるようになっている。
【図面の簡単な説明】
【００１１】
【図１】天井板に施工する本吊天井装置の斜視図
【図２】保持部材への受け部材のＴ字形連結部付近の切欠平面図
【図３】保持部材への受け部材の十字形連結部付近の底面図
【図４】図２Ａ−Ａ線の断面図
【図５】図２Ｂ−Ｂ線の断面図
【図６】保持部材間の連結関係を示す斜視図
【図７】保持部材間の連結関係と受け部材との連結関係を示す斜視図
【図８】保持部材と受け部材との組立て前の連結関係を示す斜視図
【図９】保持部材と受け部材との組立て後の連結関係を示す斜視図
【発明を実施するための形態】
【００１２】
天井材の落下を防止するために天井材下面部において設置する保持部材はそれ自体に設けたフランジを介して取付け、この保持部材に対してはその側板に設けた溝列部を介して保持部材間に架設する受け部材を適当位置に移動調整した後に螺子にて固定する。したがって、天井材面に既設の照明器具部に対しては、これを回避して取付け位置を決めることができる。
【００１３】
このような保持部材への受け部材の連結設置は、保持部材に対してＴ字形になろうと十字形なろうと、何の抵抗もなく可能である。
【実施例】
【００１４】
１は全体が所定長さに成りかつ左右側板２，２の上下側部には溝列部６，６，６，６を設けて成る保持部材で、この保持部材の左右側板２，２の上端部間には天井材ａへの留めフランジ３を設け、前記左右両側板の各下端部には保持部材１の木口蓋用螺孔４，４を設け、この螺孔より上方部間においては底板５を保持部材１の左右側板２，２間に架設する。
【００１５】
前記保持部材１の左右側板２，２の上下両側部には溝列部６，６，６，６を設け、この溝列部に連通する通孔７，７，７，７を左右側板２，２に設ける。
【００１６】
前記保持部材１には他の保持部材と連結するための連結体８を設けて、これを嵌挿するが、この連結体に設けた左右連結板９，９’の一方部の上下両部には通孔１０，１０を設け、前記保持部材１の一方の上下両側部の溝列部６，６に設けた通孔１１，１１には、保持部材１の一方側板部２の上下両部に設けた溝列部６，６の任意箇所に外側から位置調整した螺子１２，１２を挿入し、この螺子は前記連結体８の一側連結板９の通孔１０、１０に挿通し、左右連結板９，９’の内側部間の上下両部に配置した凵形介装板１３，１３の内側部に至るまで螺装する。
【００１７】
前記連結体８の他側連結板９’の上下両部の外側面部は、前記保持部材１の他方側板部２に設けた溝列部６，６の外側面部に当接状態にある。
【００１８】
以上の保持部材１の構造にあっては、図４に示すように、保持部材１の内部の左右対称位置に上下の螺子１２，１２，１２，１２によって、連結体８及び凵形介装板１３，１３を構成している。
【００１９】
以下の説明は、保持部材１の中間位置に対し連結体８を架設して、他の保持部材１と連結する構造についてのものである。
【００２０】
１４・・・は前記保持部材１の一側板２の端部に設ける連結部材で、この連結部材の上下端部には通孔部１５，１５を設け、この通孔部は連結部材１４の内側板部に設けた通孔１６，１６を介して前記保持部材１の一側板２の上下端部に設けた溝列部６，６に連通し、この溝列部には長螺子１７，１７のボルト頭部を嵌装し、そのボルト軸部は前記通孔部１５，１５を通過して連結部材１４の外側板部においてナットを緊締するようにする。これによって保持部材１の一側面部に、一体に設けた連結部材１４を介して後記受け部材１８・・が連結架設し得るようになる。しかる後に、連結部材１４に対して、受け部材１８との上下両部間において螺子１９，１９にて緊締連結する。
【００２１】
図８及び図９に示した図面は、天井材ａに保持部材１と受け部材１８とを取付けるに際し、天井面に照明器具が設置されていて邪魔になることがあるが、それに対しては、保持部材に対する後記受け部材１８の取付位置を左右いずれかの方向に移動し得るようにしているから、作業員は天井面の照明器具に抵触しない位置に調整するようにする。その時に使用されるのが保持部材１の一側板２に形成されている上下の溝列部６，６であり、この溝列部に嵌着する連結部材１４の位置の左右調整のための移動である。
【００２２】
１８は間隔をおいて縦方向に配置する保持部材１の一側板２にＴ字形方向又は両側板１，１’部に十字形方向に連結する受け部材で、この受け部材は前記連結部材１４，１４を上下両部間にそれぞれ位置調整した後に螺子１９，１９・・によって緊締連結するようになる。
【００２３】
２０，２０は前記保持部材１の左右側板２，２の溝列部６，６の下方部に設けた木口蓋用ねじホールで、このねじホールは前記保持部材の左右側板２，２の下端部に設けた木口蓋用螺孔４，４と同一位置にあり、保持部材１を天井に吊るす直前に、保持部材１の当該箇所に木口蓋２１を前記螺子１９，１９・・・によって取付ける。
【００２４】
２３は前記保持部材１の前記木口蓋２１側とは反対側部に一体に設けた連結部材で、この連結部材は他の保持部材１に嵌挿して延長する連結手段として設けたものである。
【００２５】
２４・・は前記保持部材１の天井材留めフランジ３の左右両端部に螺子２５で固定して設けた吊り杆で、この吊り杆には適当なワイヤロープの一端部を掛止めて保持部材１を天井裏の鋼材部に吊り下げるようにする。
【符号の説明】
【００２６】
１                    保持部材
２，２                左右側板
３                    天井材留めフランジ
４，４                木口蓋用螺孔
５                    底板
６，６，６，６        溝列部
７，７，７，７        通孔
８，８                連結体
９，９’              左右連結板
１０，１０            通孔
１１，１１            通孔
１２，１２，１２，１２  螺子
１３，１３            凵形介装板
１４・・              連結部材
１５，１５            螺孔部
１６，１６            通孔
１７，１７            螺子
１８・・              受け部材
１９，１９・・・      螺子
２０，２０            木口蓋用ねじホール
２１                  木口蓋
２２・・・            螺子
２３                  連結部材
２４・・              吊り杆
２５                  螺子
ａ                    天井材
【図１】
0006562622.tif 000002
【図２】
0006562622.tif 000003
【図３】
0006562622.tif 000004
【図４】
0006562622.tif 000005
【図５】
0006562622.tif 000006
【図６】
0006562622.tif 000007
【図７】
0006562622.tif 000008
【図８】
0006562622.tif 000009
【図９】
0006562622.tif 000010